(57)【要約】      （修正有）【課題】ユーザの頭の特定の部位を按摩することができ、そして押付按摩具を交錯に膨らませることにより、ユーザの頭を回動し揺動することができる枕を提供する。【解決手段】ベースと、ユーザの頭に対応しベースに設けられる複数の押付按摩具と、エアホースを介して押付按摩具と連接し、エアホースにより押付按摩具のインフレータブル及び排気を制御し、これらの押付按摩具を膨らませることにより、ユーザの頭を按摩することができ、これらの押付按摩具を交錯に膨らませることにより、ユーザの頭を回動し揺動することができる制御装置と、を備える。【選択図】図３
0003159153.tif 000002
【実用新案登録請求の範囲】
【請求項１】
ベースと、
ユーザの頭に対応し前記ベースに設けられる複数の押付按摩具と、
エアホースを介して前記各押付按摩具と連接し、前記各エアホースにより前記各押付按摩具のインフレータブル及び排気を制御し、これらの前記押付按摩具をインフレータブルすることにより、ユーザの頭を按摩することができ、これらの前記押付按摩具を交錯にインフレータブルすることにより、ユーザの頭を回動し揺動することができる制御装置と、
を備えることを特徴とする、枕。
【考案の詳細な説明】
【技術分野】
【０００１】
本考案は、エアで駆動する物理施療装置に係り、特に、ユーザの頭を按摩し揺動することができる枕に関するものである。
【背景技術】
【０００２】
従来の按摩装置（例えば按摩ベルトや按摩椅子など）は、ユーザの身体の各部位（例えばネック部、肩部や背部など）を按摩することが一般的であり、手持式の按摩器であっても、ユーザの頭を按摩することはなかった。しかし、人体の頭の多くのツボを適当に按摩することにより、ユーザはリラックスして容易に寝付くことができる。
【０００３】
上記の原因で、特許文献１の台湾特許第０９４２０１４５１号の「按摩枕」が提案された。このような「按摩枕」は、枕の内部にある水を介して、振動モータの振動をユーザの頭に伝達することにより、ユーザの頭を按摩する目的を達成することができる。
【０００４】
このような「按摩枕」によれば、人体の頭を按摩する目的を達成することができるが、按摩が頭の枕と接触する部分の全面に対して施され、頭の特定のツボに対して按摩を強化することができないため、按摩効果を最高にすることができない。
【０００５】
また、このような「按摩枕」によれば、ユーザの頭の外部だけを按摩し、頭を按摩しているときに、ユーザは自分で按摩することができず、ユーザが自分で按摩することができると、按摩効果を更に向上させることができる。  
【先行技術文献】
【特許文献】
【０００６】
【特許文献１】台湾特許第０９４２０１４５１号
【考案の概要】
【考案が解決しようとする課題】
【０００７】
本考案の主な目的は、複数の押付按摩具をインフレータブルすることにより、ユーザの頭の特定の部位を按摩することができ、そしてこれらの押付按摩具を交錯にインフレータブルすることにより、ユーザの頭を回動し揺動することができる枕を提供することにある。
【課題を解決するための手段】
【０００８】
本考案の枕によると、ベースと、ユーザの頭に対応し前記ベースに設けられる複数の押付按摩具と、エアホースを介して前記各押付按摩具と連接し、前記各エアホースにより前記各押付按摩具のインフレータブル及び排気を制御し、これらの前記押付按摩具をインフレータブルすることにより、ユーザの頭を按摩することができ、これらの前記押付按摩具を交錯にインフレータブルすることにより、ユーザの頭を回動し揺動することができる制御装置と、を備えることを特徴とする。
【考案の効果】
【０００９】
本考案の枕によれば、複数の押付按摩具をインフレータブルすることにより、ユーザの頭の特定の部位を按摩することができ、そしてこれらの押付按摩具を交錯にインフレータブルすることにより、ユーザの頭を回動し揺動することができるという効果を有する。
【図面の簡単な説明】
【００１０】
【図１】本考案の一実施例の側面図である。
【図２】本考案の一実施例の平面図である。
【図３】本考案の一実施例の制御装置と押付按摩具の連接を示す模式図である。
【図４】本考案の一実施例の枕にユーザの頭を寄せた状態の模式図である。
【図５】本考案の一実施例の押付按摩具におけるユーザの頭を回動する状態の側面図である。
【図６】本考案の一実施例の押付按摩具におけるユーザの頭を回動する状態の平面図である。
【考案を実施するための最良の形態】
【００１１】
以下、本考案の実施の形態を図面に基づいて説明する。
まず、図１乃至図３を参照する。本考案の一実施例の枕は、ベース１０と、制御装置２０と、複数の押付按摩具３０と、を含む。
【００１２】
ベース１０は、一側面が円弧形状凹面１１に成形される。
制御装置２０は、ベース１０の内部に設けられ、押付按摩具３０のインフレータブル及び排気を制御する。
【００１３】
複数の押付按摩具３０は、円弧形状凹面１１の円弧輪郭に沿ってベース１０に配設され、その周面の一部が円弧形状凹面１１から突出するため、これらの押付按摩具３０がユーザの頭と頭のツボに対応することができる。各押付按摩具３０はエアホースＡを介して制御装置２０と連接し、制御装置２０により各押付按摩具３０がインフレータブルし、又は排気する。
【００１４】
制御装置２０によってこれら押付按摩具３０のインフレータブル及び排気を制御することにより、これら押付按摩具３０はユーザの頭のツボを按摩することができ、これら押付按摩具３０が円弧形状凹面１１の円弧輪郭に沿ってベース１０に配設されるため、これらの押付按摩具３０は、複数の方向からユーザの頭を均一に按摩することができ、そして適当に配設されることによりユーザの頭の特定のツボを按摩することもでき、且つ頭のツボだけを按摩することができ、そうすると、按摩効果を最高にすることができる。
【００１５】
図４を参照する。図４は本考案の一実施例の枕のこれらの押付按摩具３０にユーザの頭を寄せた状態の模式図である。制御装置２０により、一端にある押付按摩具３０をインフレータブルすると、図５及び図６に示すように、ユーザの頭が他端に回動し、これらの押付按摩具３０を交錯にインフレータブルすることにより、ユーザの頭を回動し揺動することができ、そうすると、按摩効果を更に向上にすることができる。
【産業上の利用可能性】
【００１６】
本考案は、枕に適用することができる。
【符号の説明】
【００１７】
１０：ベース、１１：円弧形状凹面、２０：制御装置、３０：押付按摩具、Ａ：エアホース。
【図１】
0003159153.tif 000003
【図２】
0003159153.tif 000004
【図３】
0003159153.tif 000005
【図４】
0003159153.tif 000006
【図５】
0003159153.tif 000007
【図６】
0003159153.tif 000008
【手続補正書】
【提出日】平成22年2月26日(2010.2.26)
【手続補正１】
【補正対象書類名】実用新案登録請求の範囲
【補正対象項目名】全文
【補正方法】変更
【補正の内容】
【実用新案登録請求の範囲】
【請求項１】
ベースと、ユーザの頭に対応し前記ベースに設けられる複数の押付按摩具と、エアホースを介して前記複数の押付按摩具と連接し、前記エアホースにより前記複数の押付按摩具のインフレータブル及び排気を制御し、これらの前記押付按摩具を膨らませることにより、ユーザの頭を按摩することができ、これらの前記押付按摩具を交錯に膨らませることにより、ユーザの頭を回動し揺動することができる制御装置と、を備えることを特徴とする、枕。
【手続補正２】
【補正対象書類名】明細書
【補正対象項目名】０００７
【補正方法】変更
【補正の内容】
【０００７】本考案の主な目的は、複数の押付按摩具を膨らませることにより、ユーザの頭の特定の部位を按摩することができ、そしてこれらの押付按摩具を交錯に膨らませることにより、ユーザの頭を回動し揺動することができる枕を提供することにある。
【手続補正３】
【補正対象書類名】明細書
【補正対象項目名】０００８
【補正方法】変更
【補正の内容】
【０００８】本考案の枕によると、ベースと、ユーザの頭に対応し前記ベースに設けられる複数の押付按摩具と、エアホースを介して前記複数の押付按摩具と連接し、前記エアホースにより前記複数の押付按摩具のインフレータブル及び排気を制御し、これらの前記押付按摩具を膨らませることにより、ユーザの頭を按摩することができ、これらの前記押付按摩具を交錯に膨らませることにより、ユーザの頭を回動し揺動することができる制御装置と、を備えることを特徴とする。
【手続補正４】
【補正対象書類名】明細書
【補正対象項目名】０００９
【補正方法】変更
【補正の内容】
【０００９】本考案の枕によれば、複数の押付按摩具を膨らませることにより、ユーザの頭の特定の部位を按摩することができ、そしてこれらの押付按摩具を交錯に膨らませることにより、ユーザの頭を回動し揺動することができるという効果を有する。
【手続補正５】
【補正対象書類名】明細書
【補正対象項目名】００１３
【補正方法】変更
【補正の内容】
【００１３】複数の押付按摩具３０は、円弧形状凹面１１の円弧輪郭に沿ってベース１０に配設され、その周面の一部が円弧形状凹面１１から突出するため、これらの押付按摩具３０がユーザの頭と頭のツボに対応することができる。各押付按摩具３０はエアホースＡを介して制御装置２０と連接し、制御装置２０により膨らむか、又は排気する。
【手続補正６】
【補正対象書類名】明細書
【補正対象項目名】００１４
【補正方法】変更
【補正の内容】
【００１４】制御装置２０によってこれら押付按摩具３０のインフレータブル及び排気を制御することにより、これらの押付按摩具３０はユーザの頭のツボを按摩することができ、これらの押付按摩具３０が円弧形状凹面１１の円弧輪郭に沿ってベース１０に配設されるため、これらの押付按摩具３０は、複数の方向からユーザの頭を均一に按摩することができ、そして適当に配設されることによりユーザの頭の特定のツボを按摩することもでき、且つ頭のツボだけを按摩することができ、そうすると、按摩効果を最高にすることができる。
【手続補正７】
【補正対象書類名】明細書
【補正対象項目名】００１５
【補正方法】変更
【補正の内容】
【００１５】図４を参照する。図４は本考案の一実施例の枕のこれらの押付按摩具３０にユーザの頭を寄せた状態の模式図である。制御装置２０により、一端にある押付按摩具３０を膨らませると、図５及び図６に示すように、ユーザの頭が他端に回動し、これらの押付按摩具３０を交錯に膨らませることにより、ユーザの頭を回動し揺動することができ、そうすると、按摩効果を更に向上させることができる。